(57)【要約】【課題】録画データが転送され他の装置で録画されていても、予約した映像コンテンツを録画予約が行われた装置から探し出せるようにする。【解決手段】ＨＤＤレコーダ１１は、録画データをデータ転送手段によってＨＤＤレコーダ１２に転送したときに、データ転送手段によって録画データが転送されたことを示す転送情報を生成し、その転送情報を提示する。また、提示された転送情報が指定されたときに、データ転送手段によって転送された録画データをＨＤＤレコーダ１２から取得し、その取得された録画データを用いて映像を再生する。【選択図】図６
2007336206.tif 000002
【特許請求の範囲】
【請求項１】
映像を再生するための録画データを記録する映像記録手段と、
前記録画データを、ネットワークを介して外部の装置に転送するデータ転送手段と、
前記映像記録手段によって記録される前記録画データを前記データ転送手段によって外部の装置に転送したときに、前記データ転送手段によって前記録画データが転送されたことを示す転送情報を生成する転送情報生成手段と、
該転送情報生成手段により生成された前記転送情報を提示する転送情報提示手段とを有することを特徴とする映像記録装置。
【請求項２】
前記転送情報提示手段により提示された前記転送情報が指定されたときに、前記データ転送手段によって転送された前記録画データを取得する録画データ取得手段を更に有することを特徴とする請求項１記載の映像記録装置。
【請求項３】
前記録画データを用いて映像を再生する映像再生手段と、
該映像再生手段が前記録画データ取得手段により取得された前記録画データを用いて映像を再生するように制御する再生制御手段とを更に有することを特徴とする請求項２記載の映像記録装置。
【請求項４】
前記録画データを前記映像記録手段によって記録するための空き領域の有無を判定する判定手段と、
該判定手段によって前記空き領域が無いと判定されたときに、前記データ転送手段が前記録画データを外部の装置に転送するように制御する転送制御手段とを更に有することを特徴とする請求項１〜３のいずれか一項記載の映像記録装置。
【請求項５】
前記転送情報生成手段により生成された前記転送情報を保存する転送情報保存手段と、
前記転送情報生成手段により生成された前記転送情報を前記転送情報保存手段に保存させる保存制御手段とを更に有することを特徴とする請求項１〜４のいずれか一項記載の映像記録装置。
【請求項６】
前記映像記録手段が前記録画データを記録したときの動作履歴および前記映像記録手段が記録したことによって保存されている前記録画データを一覧表示するための一覧表示データを生成する一覧表示データ生成手段を更に有し、
前記転送情報提示手段は、前記一覧表示データ生成手段によって生成された前記一覧表示データを用いて前記転送情報を提示することを特徴とする請求項１〜５のいずれか一項記載の映像記録装置。
【請求項７】
前記転送情報提示手段は、映像表示を行える映像表示装置が接続されているときに、前記一覧表示データ生成手段によって生成された前記一覧表示データを前記映像表示装置に表示させることによって、前記転送情報を提示することを特徴とする請求項６記載の映像記録装置。
【請求項８】
映像を再生するための録画データを、ネットワークを介して外部の装置に転送するデータ転送手段と、
前記録画データを前記データ転送手段によって外部の装置に転送したときに、前記データ転送手段によって前記録画データが転送されたことを示す転送情報を生成する転送情報生成手段と、
該転送情報生成手段により生成された前記転送情報を提示する転送情報提示手段とを有することを特徴とする映像データ転送装置。
【請求項９】
前記転送情報提示手段により提示された前記転送情報が指定されたときに、前記データ転送手段によって転送された前記録画データを取得する録画データ取得手段を更に有することを特徴とする請求項８記載の映像データ転送装置。
【発明の詳細な説明】
【技術分野】
【０００１】
本発明は、録画データの転送機能を備えた映像記録装置および映像データ転送装置に関する。
【背景技術】
【０００２】
近年、ホームネットワークが構築されるようになってきている。ホームネットワークは、Ｅｔｈｅｒｎｅｔ（登録商標）や無線ＬＡＮ（Ｌｏｃａｌ  Ａｒｅａ  Ｎｅｔｗｏｒｋ）等のネットワークを介して家庭内のテレビや、ＨＤＤレコーダ（ＨＤＤ：Ｈａｒｄ  Ｄｉｓｋ  Ｄｒｉｖｅを内蔵した映像記録装置）、ＤＶＤレコーダ(ＤＶＤ:ｄｉｇｉｔａｌ  ｖｅｒｓａｔｉｌｅ  ｄｉｓｋに対するデジタルデータの記録機能を備えた映像記録装置)といった映像と音声の再生または記録機能を備えた装置を例えばＵＰｎＰ（Ｕｎｉｖｅｒｓａｌ  Ｐｌｕｇ  ａｎｄ  Ｐｌａｙ）等の技術仕様にしたがい相互に接続したものである。ホームネットワークでは、例えばＨＤＤレコーダのＨＤＤに録画した映像コンテンツをネットワークで接続されたテレビで再生する、またはＨＤＤに録画した映像コンテンツを別のＨＤＤレコーダのＨＤＤにネットワーク経由で複製する（ダビングする）、といった操作ができるようになっている。
【０００３】
ところで、従来から、映像記録装置がネットワークで接続された構成に関しては種々の技術があった。例えば、特許文献１には、ネットワークを介してサーバと複数の端末装置とが接続され、各端末装置が記録した番組コンテンツの識別子と、識別子によって示される番組コンテンツデータとの対応関係をサーバに記憶して、どの番組コンテンツがどの端末装置に記憶されているのかを管理できるようにした技術が開示されている。
【特許文献１】特開２００５−４５６２７公報
【発明の開示】
【発明が解決しようとする課題】
【０００４】
ＨＤＤレコーダはビデオテープレコーダと比較すると多数の番組のデータを蓄積しておくことが可能ではあるが、必要がなくなった番組のデータをＨＤＤから削除していかないと、ＨＤＤが一杯になり、空いている領域が不足する領域不足を起こすこととなる。そうした場合などでは、映像記録装置からネットワーク上に接続された他の映像記録装置に録画データが自動的に転送され、他の映像記録装置に録画させることが考えられる。
【０００５】
しかし、録画データが自動的に転送され他の映像記録装置で録画が行われると、例えば録画予約を行ったときに、予約して録画した映像コンテンツは他の装置に保存されているので、その録画予約が行われた装置からは見つからない。予約した映像コンテンツを探し出すには、実際に録画が行われた別の装置から探し出さねばならないから、予約した映像コンテンツを探し出すのに手間がかかり、面倒である。この点、上記特許文献１に開示されている従来技術では、番組コンテンツの記録されている端末装置がわかるものの、録画予約が行われた転送元の装置からその番組コンテンツを見つけられるというものではない。
【０００６】
そこで、本発明は上記課題を解決するためになされたもので、録画データが転送され他の装置で録画されていても、その映像コンテンツを転送元の装置から探し出せるようにした映像記録装置および映像データ転送装置を提供することを目的とする。
【課題を解決するための手段】
【０００７】
上記課題を解決するため、本発明は、映像を再生するための録画データを記録する映像記録手段と、録画データを、ネットワークを介して外部の装置に転送するデータ転送手段と、映像記録手段によって記録される録画データをデータ転送手段によって外部の装置に転送したときに、データ転送手段によって録画データが転送されたことを示す転送情報を生成する転送情報生成手段と、その転送情報生成手段により生成された転送情報を提示する転送情報提示手段とを有する映像記録装置を特徴とする。
【０００８】
また、本発明は、映像を再生するための録画データを、ネットワークを介して外部の装置に転送するデータ転送手段と、録画データをデータ転送手段によって外部の装置に転送したときに、データ転送手段によって録画データが転送されたことを示す転送情報を生成する転送情報生成手段と、その転送情報生成手段により生成された転送情報を提示する転送情報提示手段とを有する映像データ転送装置を提供する
【発明の効果】
【０００９】
以上詳述したように、本発明によれば、録画データが転送され他の装置で録画されていても、その映像コンテンツを転送元の装置から探し出せるようにした映像記録装置および映像データ転送装置が得られる。
【発明を実施するための最良の形態】
【００１０】
以下、本発明の実施の形態について説明する。なお、同一要素には同一符号を用い、重複する説明は省略する。
【００１１】
図１はＳＲＳによる複数の映像記録装置（本実施の形態では、後述するＨＤＤレコーダ１１，１２）における予約録画を行うときの手順および動作の概要を示す図である。ＳＲＳはＳｃｈｅｄｕｌｅｄ  Ｒｅｃｏｒｄｉｎｇ  Ｓｅｒｖｉｃｅの略であり、ＵＰｎＰ（Ｕｎｉｖｅｒｓａｌ  Ｐｌｕｇ  ａｎｄ  Ｐｌａｙ）で定義されたサービスの一種である。ＳＲＳは具体的には、予約録画に関する共通仕様を定義し、異なるメーカーの装置間でも予約の登録や削除を可能とするものである。なお、ＵＰｎＰでは、ネットワークに接続されている装置に対して何らかの機能を提供する装置が「デバイス」と呼ばれ、その「デバイス」が提供する機能が「サービス」と呼ばれる。また、「デバイス」の提供する「サービス」を利用、制御する側の装置は「コントロールポイント」と呼ばれる。なお、ＨＤＤレコーダ１１、１２はいずれも本発明における映像記録装置、映像データ転送装置としての機能を有している。
【００１２】
そして、ＳＲＳでは、図１に示すＨＤＤレコーダ（ＨＤＤ：Ｈａｒｄ  Ｄｉｓｋ  Ｄｒｉｖｅを内蔵した映像記録再生装置）１１，１２のように、複数装置間での予約録画も考慮されている。
【００１３】
ここで、図７は、ＨＤＤレコーダ１１の内部構成を示すブロック図である（図示はしないが、ＨＤＤレコーダ１２の内部構成もＨＤＤレコーダ１１の内部構成と同様であり、ＨＤＤレコーダ１２はＨＤＤレコーダ１１と同様の機能を有している）。ＴＶチューナ２１には、図示されていないアンテナが受け取った放送波の信号がアンテナ線２１ａを通じて入力されている。ＴＶチューナ２１は入力される信号について復調等を行ってアナログ映像信号を出力する。このアナログ映像信号は、ＡＤＣ(Ａｎａｌｏｇ  Ｔｏ  Ｄｉｇｉｔａｌ  Ｃｏｎｖｅｒｔｅｒ)２２によって例えばサンプリング周波数１３．５ＭＨｚ、量子化ビット数８ビットで量子化される。同様にアナログ音声信号についてもＡＤＣ２２によって、例えばサンプリング周波数４８ｋＨｚ、量子化ビット数１６ビットで量子化される。
【００１４】
ＡＤＣ２２から出力されたデジタル映像信号とデジタル音声信号は、エンコーダ２３に入力される。エンコーダ２３は、入力されたデジタル映像信号をＭＰＥＧ２−規格に基づいて圧縮し、圧縮されたデジタル映像信号に変換して出力する。デジタル音声信号についても、例えばＡＣ（Ａｕｄｉｏ  Ｃｏｍｐｒｅｓｓｉｏｎ）−３規格に基づいて圧縮し、圧縮したデジタル音声信号に変換して出力する。
【００１５】
エンコーダ２３では、圧縮したデジタル映像信号とデジタル音声信号とを記録に適したフォーマットとなるよう信号処理を行ってデータプロセッサ２４に出力する。エンコーダ２３でエンコードされた情報やコントローラ３２で作成された管理情報は、データプロセッサ２４を介して、映像記録手段としてのＨＤＤ２５や、ＤＶＤドライブ２６に挿入されているＤＶＤ−ＲＡＭ等の光ディスクＤに記録される（このとき、ＨＤＤ２５や光ディスクＤには、映像を再生するための録画データが記録される）。
【００１６】
また、ＨＤＤ２５や、ＤＶＤドライブ２６に挿入された光ディスクＤに記録された信号は、データプロセッサ２４を介してデコーダ２７に出力される。デコーダ２７では入力された信号から映像信号と音声信号とを分離して、それぞれをデコードする機能を有している。デコーダ２７から出力された映像信号はビデオミキサ２８に入力される。ビデオミキサ２８では、フレームメモリ２９をバッファとして使用しながら、入力された映像信号とテキストデータや画像データとの合成が行われる。また、ビデオミキサ２８の出力は、ＤＡＣ３０（Ｄｉｇｉｔａｌ  Ｔｏ  Ａｎａｌｏｇ  Ｃｏｎｖｅｒｔｅｒ）により、アナログ信号に変換された後に、外部に出力される。デコーダ２７から出力された音声信号についても、同様にＤＡＣ３１でアナログ信号に変換された後に外部に出力される。
【００１７】
コントローラ３２は、ＭＰＵ（Ｍｉｃｒｏ  Ｐｒｏｃｅｓｓｉｎｇ  Ｕｎｉｔ）と、ＲＯＭおよびＲＡＭを有している。ＲＯＭには、制御プログラムやＭＰＵが実行するプログラムが書き込まれている。ＲＡＭは、ＭＰＵによるプログラムの実行に必要なワークエリアを提供し得るようになっている。コントローラ３２は、ＲＯＭに記憶されている制御プログラムに従い上述の各モジュールを制御して、録画や再生などのセット動作を統括する。また、コントローラ３２は、ユーザの操作する図示しないリモコンの操作情報を図示しない赤外線受光部を介して受信し、その受信した情報に従って動作を制御する。さらに、コントローラ３２は、ネットワーク２に接続されている他の装置（例えば、ＨＤＤレコーダ１２）との通信を行うネットワークインタフェース（ネットワークＩ／Ｆ）３３の動作を制御する。さらにまた、コントローラ３２は、ライブラリ管理機能を提供する。
【００１８】
コントローラ３２は、ＨＤＤ２５またはＤＶＤドライブ２６による録画に用いられ、その録画に先立ち予め設定された情報（以下「予約録画情報」という）に基づいて、予約録画の実行を制御する。ここで、予約録画情報は、チャンネル番号、録画開始時刻、録画終了時刻、録画モードなどの情報が含まれている。例えば、デジタル放送の場合であれば、録画開始時刻と録画終了時刻にかえてイベントＩＤを指定するといったように、録画を行うために必要な情報が予約録画情報である。録画モードは、録画に使用するコーデックの種別、ビットレートなどの情報である。また、予約録画情報には録画に直接必要な情報ではないが、番組のジャンルの情報やタイトル名などの情報も含むようにすることが可能である。
【００１９】
また、コントローラ３２は予約録画情報を記録している予約録画情報テーブルを保持している。予約録画情報テーブルはＲＯＭやＲＡＭ（またはＨＤＤ）に記憶されている。
【００２０】
そして、コントローラ３２は現在時刻を監視して予約録画情報テーブルに記録されているいずれかの予約録画情報の録画開始時刻になると録画動作を実行する。そして、録画開始時刻になると、予約録画情報のチャンネル番号で指定されたチャネルを選局し、録画モードに従ってエンコーダ２３を制御して録画を実行する。さらに、コントローラ３２は録画実行中に現在時刻を監視していて、録画終了時刻になると録画動作を停止し、録画動作によって記録された信号（映像信号および音声信号）を保存する。
【００２１】
ここで、図１に戻り、ホームネットワーク２で接続されているＨＤＤレコーダ１１，１２による複数装置間での予約録画について説明する。
【００２２】
まず、コントロールポイント１３（本実施の形態では、ＨＤＤレコーダ１１，１２と同じネットワーク２に接続されている別のＨＤＤレコーダを想定している）が、ＨＤＤレコーダ１１に対して、ＳＲＳ形式の予約登録ｒを実行する。この予約登録ｒでは、予約録画で保存したい映像コンテンツのチャンネルとしてＨＤＤレコーダ１１のチャンネルの１つが指定され、その映像コンテンツの保存先としてＨＤＤレコーダ１２のＵＲＬ（Ｕｎｉｆｏｒｍ  Ｒｅｓｏｕｒｃｅ  Ｌｏｃａｔｏｒ）が指定される。ＳＲＳ形式の予約登録ｒのための情報は、ＸＭＬ（Ｅｘｔｅｎｓｉｂｌｅ  Ｍａｒｋｕｐ  Ｌａｎｇｕａｇｅ）形式で記述されており、その例が図２に示されている。
【００２３】
図２のｒｅｃｏｒｄＤｅｓｔｉｎａｔｉｏｎ要素内に属性として記載されている「“targetURL=”http://192.168.0.12/video/0001004a.cgi”」がＨＤＤレコーダ１２における録画データの保存先であるＵＲＬを示しており、このＵＲＬに対し、ＨＤＤレコーダ１１が録画データをＨＴＴＰ  ＰＯＳＴする（転送する）録画データの転送ｔによって、ホームネットワーク２を介してＨＤＤレコーダ１２に録画データが転送され、録画データがＨＤＤレコーダ１２に保存される（この転送ｔはデータ転送手段としてのネットワークＩ／Ｆ３３によって行なわれている）。
【００２４】
この場合、予約録画情報の示す録画開始時刻になると、ＨＤＤレコーダ１１では、予約録画情報で指定されたチャンネルに切り替え、映像記録手段であるＨＤＤ２５またはディスクドライブ２６で記録される録画データを指定されたＵＲＬにＨＴＴＰ  ＰＯＳＴして録画データの転送ｔを実行していく。ＨＤＤレコーダ１２はホームネットワーク２を通じて受信した映像データを映像記録手段としてのＨＤＤ１２ａに記録して保存する。
【００２５】
そして、予約録画情報で指定された録画終了時刻になると、ＨＤＤレコーダ１１では、録画データの転送ｔを停止し、予約録画が完了する。
【００２６】
次に、上記のＨＤＤレコーダ１１、１２による複数装置間での予約録画を利用して、予約録画開始時における領域不足による録画の失敗を回避する場合の手順および動作の一例が図３に示されている。
【００２７】
まず、ユーザはＨＤＤレコーダ１１に対して予約録画登録ｓ１を実行する。この予約録画登録ｓ１では、予約録画情報とともに録画データの保存先として、ＨＤＤレコーダ１２が指定されている。
【００２８】
次に、ＨＤＤレコーダ１１では、予約録画登録ｓ１が実行された後、予約録画開始時刻の数分前になると、ＨＤＤ２５の残容量チェックｓ２が行われる。これは、コントローラ３２が判定手段として作動し、録画データを記録するだけの空き領域があるかどうか（十分な容量があるか否か）を判定して行われる（例えば、空き領域の容量と録画データの容量を比較して判定する）。ここで、領域不足（空き領域がない）と判定されたときは、上記した複数装置間での予約録画のように、録画データの保存先をユーザの指定なく自動的にＨＤＤレコーダ１２のtargetURLに変更する保存先の自動変更ｓ３が行われる。この自動変更ｓ３によって、録画データの保存先がＨＤＤレコーダ１１からＨＤＤレコーダ１２に切り替えられる。こうすることで、上記同様にして、録画データの転送ｔが行われる（このとき、ＨＤＤレコーダ１１のコントローラ３２が転送制御手段として作動している）。したがって、たとえ予約録画登録ｓ１が行なわれたＨＤＤレコーダ１１が領域不足であっても、ＨＤＤレコーダ１２において、ＨＤＤ１２ａに対する録画データの保存ｓ４が行われるので録画失敗を回避することができる。
【００２９】
そして、複数装置間での予約録画が完了したあと、その予約録画で保存された録画データを用いた映像コンテンツの再生手順および動作の一例が図４に示されている。この場合、予約録画で保存した映像コンテンツをユーザが探す場合、上記のとおり、録画データがＨＤＤレコーダ１２に転送され、ＨＤＤレコーダ１２に保存されているので、ユーザＵは予約録画登録ｓ１が行われたＨＤＤレコーダ１１からはその映像コンテンツを見つけることはできない（映像コンテンツのサーチ不能ｖ１）。この場合、ユーザＵは録画データの保存が行われたが、予約録画登録ｓ１が行われていないＨＤＤレコーダ１２から探す映像コンテンツの探索ｖ２を行わないと、予約した映像コンテンツは見つからないこととなる。この点を解決するための手順および動作は次のとおりである。
【００３０】
複数装置間での予約録画と、その予約録画で保存された録画データを用いた映像コンテンツの再生手順が図６に示されている。この場合、予約録画の登録と予約録画実行中の動作は図３の場合と同様である。
【００３１】
図６の１）は、予約録画中の動作を示している。この場合、ＨＤＤレコーダ１１からＨＤＤレコーダ１２への録画データの転送ｔが行われて録画データのＨＤＤ１２ａへの保存が行われている。
【００３２】
図６の２）は、予約録画が終了した時点の動作を示している。ＨＤＤレコーダ１１がＨＤＤレコーダ１２への録画データの転送を停止する転送停止ｔ−ｓｔｏｐを行う。また、ＨＤＤレコーダ１１のコントローラ３２が転送情報生成手段として作動して、後述する仮想コンテンツを生成する。さらに、コントローラ３２は保存制御手段として作動し、生成した仮想コンテンツが後述するライブラリ２０の１タイトルに含めて保存されるように制御して、仮想コンテンツを保存する仮想コンテンツ保存ｓ５を実行する。
【００３３】
ここで、仮想コンテンツは録画データが転送されたことを示す転送情報であって、録画データが保存されているＨＤＤレコーダ１２の保存先ＵＲＬ(targetURL)を有している仮想的なコンテンツである。このとき生成された仮想コンテンツはＨＤＤレコーダ１１で保存されている後述するライブラリ２０に１タイトルとして登録されている。ライブラリ２０は一覧表示データ生成手段としてのコントローラ３２により生成され、転送情報保存手段としての機能を有している。
【００３４】
ここで、ライブラリ２０は、図５に示すような映像コンテンツ一覧を表示するためのデータ（一覧表示データ）によって構成されている。図５に示されているライブラリ２０は、動作履歴や保存されている映像コンテンツを一覧表示し、映像保存先番号２０ａ，保存年月日２０ｂ、保存時間２０ｃ、録画チャンネル２０ｄ、映像コンテンツのタイトル２０ｅの５つの項目を備えたタイトルデータ２１〜２８が保存されている。
【００３５】
また、このライブラリ２０は、ＨＤＤレコーダ１１に映像表示を行なえるテレビなどが接続されているときにそのテレビに表示されることによって、ユーザに提示されるようになっている。このとき、ライブラリ２０には仮想コンテンツが含まれており、ＨＤＤレコーダ１１のコントローラ３２が転送情報提示手段として機能している。
【００３６】
そして、ライブラリ２０によれば、ＨＤＤレコーダ１１の映像記録装置（例えば、ＨＤＤ２５）に記録されている映像コンテンツや、ＨＤＤからＤＶＤ−ＲＡＭ等の光ディスクに移動されて、既にＨＤＤレコーダ１１には保存されていない映像コンテンツを一括管理することができ、たとえＨＤＤ２５から光ディスクに移動させて保存している映像コンテンツでも、その光ディスク番号が含まれているので、どの光ディスクに移動させたのかがわかるようになっている。例えば保存先番号２０ａの“ＨＤＤ”は、ＨＤＤレコーダ１１のＨＤＤ２５に保存されていることを示し、“００１”は、番号“００１”の光ディスクに保存されていることを示し、“ＮＥＴ”は仮想コンテンツに対応していて、録画データが転送され、ホームネットワーク２を通じて保存されていること（本実施の形態では、ＨＤＤレコーダ１２に保存されていること）を示している。
【００３７】
そして、ＨＤＤレコーダ１１では、コントローラ３２により、保存先番号２０ａが“ＮＥＴ”となっているタイトルデータ２６に関連付けてＨＤＤレコーダ１２のＵＲＬが内部情報として保持されている（ＨＤＤレコーダ１２における映像コンテンツの保存先ＵＲＬが保持されている）。そのため、ＨＤＤレコーダ１１は、コントローラ３２がこの保存先ＵＲＬをＨＴＴＰ  ＧＥＴする（取得する）ことによって、上記の録画予約登録ｓ１にしたがって保存された映像コンテンツをＨＤＤレコーダ１２から取得することができる。
【００３８】
さらに、録画完了後、ユーザが予約録画で保存された映像コンテンツを再生しようとする場合の手順および動作を示したのが図６の３）である。上記のように、ＨＤＤレコーダ１１で保持されているライブラリ２０にタイトルデータ２６があり、このタイトルデータ２６が提示されることによって（好ましくは、タイトルデータ２６が図示しないテレビに表示されることによって）、ユーザからみると、予約録画で保存されている映像コンテンツがそのほかの映像コンテンツのタイトルデータととともに示され、あたかもＨＤＤレコーダ１１で保存されているようにして扱われる（好ましくはテレビに同様にして表示される）。
【００３９】
そのため、ユーザは、実際に予約録画登録ｓ１を行ったが、映像コンテンツが保存されていないＨＤＤレコーダ１１からでも、保持されているライブラリを探すライブラリ探索ｓ６により、予約録画で保存した映像コンテンツを見つけ出すことができる。そして、その映像コンテンツを再生するときは、ユーザがリモコン操作などでタイトルデータ２６を指定すればよく、そうすると、コントローラ３２が録画データ取得手段として作動して、ＨＤＤレコーダ１２のＵＲＬをＨＴＴＰ  ＧＥＴして録画データの取得ｓ７を行ない、コントローラ３２が再生制御手段として作動して取得した録画データを用いて映像コンテンツの再生が行われる。
【００４０】
したがって、ユーザは、予約録画で保存した映像コンテンツを再生しようとするときに、わざわざその映像コンテンツを予約録画登録ｓ１を行っていないＨＤＤレコーダ１２から見つけ出す必要がないから、手間をかけずに再生を行える。
【００４１】
なお、ＨＤＤレコーダ１２がネットワークから切り離されているなどにより、収録されている映像コンテンツをＨＤＤレコーダ１１から取得できない場合も考えられる。この場合は、保存先のＵＲＬが取得できないため、ＨＤＤレコーダ１１では、ユーザへのメッセージとして、保存先装置が見つからない旨を表示すればよい。これはライブラリで光ディスクに移動したタイトルを選択しても光ディスクをセットしていないと再生できないのと同様である。
【００４２】
以上のように、本発明によれば、ＨＤＤレコーダ１１とＨＤＤレコーダ１２との間での予約録画において、ＨＤＤレコーダ１１で予約登録を行い、録画データがＨＤＤレコーダ１２に保存されると、その録画データの保存先のＵＲＬを持つ仮想コンテンツが生成され、その仮想コンテンツがタイトルデータ２６としてＨＤＤレコーダ１１のライブラリ２０に表示されてユーザに提示される。そのため、ユーザはＨＤＤレコーダ１２ではなく、実際に予約登録を行ったＨＤＤレコーダ１１から予約録画した映像コンテンツを発見することができるようになった。そのため、ユーザはＨＤＤレコーダ１２を探し出す必要もなく、予約録画で収録したコンテンツを簡易に探し出すことができる。また、どこに収録されるのかを気にしなくてもよいので、予約登録も簡易に行える。
【００４３】
なお、本発明は、図８に示すように、ホームネットワーク２に接続されているＨＤＤレコーダ１１、１２、１５を含む複数の映像再生装置による予約録画についても適用することができる。例えば、ＨＤＤレコーダ１１からＨＤＤレコーダ１３に録画データが転送された場合（例えば、ＨＤＤレコーダ１１からＨＤＤレコーダ１２に録画データが転送されたものの、ＨＤＤレコーダ１２も領域不足のため、ＨＤＤレコーダ１３に録画データが転送された場合）には、ＨＤＤレコーダ１３を指定したライブラリを生成すればよい。
【００４４】
ＨＤＤレコーダ１１、１２は、情報を記録する手段として、ＨＤＤを内蔵するがＤＶＤドライブを内蔵しない装置でもよい。また、ＨＤＤレコーダ１１、１２の代わりにＤＶＤドライブを内蔵するがＨＤＤを内蔵しないＤＶＤレコーダを用いてもよい。
【００４５】
また、コントロールポイントとしての装置は、ＨＤＤレコーダ１３ように映像記録手段を有していなくてもよい。例えば、ネットワーク２を介してデータ通信を行うネットワークＩ／Ｆと、チューナとを備え、上記同様の予約情報を生成する予約情報生成手段を有する情報記録用通信装置としてもよい。
【００４６】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００４７】
【図１】本発明の実施の形態に係るＨＤＤレコーダを備えたホームネットワークの構成を示すブロック図である。
【図２】ＳＲＳ形式の予約登録のための情報の一例を示す図である。
【図３】複数装置間の予約録画の手順および動作の一例を示す図である。
【図４】複数装置間の予約録画が完了したあと、予約録画で保存されている映像コンテンツの再生する場合の手順および動作の一例を示す図である。
【図５】ライブラリの一例を示す図である。
【図６】複数装置間の予約録画とその予約録画で保存された映像コンテンツの再生手順および動作の一例を示す図である。
【図７】本発明の実施の形態に係るＨＤＤレコーダの内部構成を示すブロック図である。
【符号の説明】
【００４８】
２…ホームネットワーク、１１，１２…ＨＤＤレコーダ
１３…コントロールポイント、２０…ライブラリ
２５…ＨＤＤ、２５…ＤＶＤ
３２…コントローラ、３３…ネットワークＩ／Ｆ
【図１】
2007336206.tif 000003
【図２】
2007336206.tif 000004
【図３】
2007336206.tif 000005
【図４】
2007336206.tif 000006
【図５】
2007336206.tif 000007
【図６】
2007336206.tif 000008
【図７】
2007336206.tif 000009